(57)【要約】本発明は一つ以上の事象の遠くでの創造と実行が個別の貢献とこれら事象の民主的、自動的且つ動的選挙によりこれら事象獲得に興味を持つ無数の参加者が実行可能になる電子システムで特徴付けられる革新的プロセスに関する。情報技術と遠隔通信技術の解決により具体化された電子システムの技術的プロセスにより、ＰＴＥＣは個人が所定事象創造と実施に参加できるように組織化した遠隔提供データを受信する情報と手段を提供する。ＰＴＥＣは根本的に個人が決定済みか又は未決定の将来の興味事象発生に遠くでも貢献し投票できる可能性に適合する。従って各事象は事象が如何に、いつ、何処で起こるかについて自分の意見を寄与できるだけでなく、事象の経済的な実現の可能性のための資金収集も行う興味をもつグループに基づいて設置する。それ故暗示の技術的リソースを用いる結果、全プロセスは収束した興味をもつ数人の貢献により遠くでの事象創造と実行が可能になる同一目標を目的とする少なくとも４つの異なるスロープで実行できる。４つの言及プロセスは（i）遠隔通信リソース（固定電話機又は携帯電話機）使用に基づくＰＴＥＣ電話、（ii）インスタントメッセージ使用によるＰＴＥＣインスタントメッセージ、（iii）ＰＴＥＣムーバブル（携帯インターネット、携帯電話、及び他技術によりアクセスする）及び（iv）インターネットリソース（電子商取引システムを通したユーザーの直接アクセスか又は認定販売人のアクセス）使用のＰＴＥＣウエブからなる。ＰＴＥＣシステムは７つの異なる基本的機能性モジュールに分けられる。１）計画の規定、２）事象登録、３）事象登録の照合、４）事象選択、５）事象選択の照合、６）実行、７）実行の照合
2008530662.tif 000002
【特許請求の範囲】
【請求項１】
“事象創造と実現のための連携した技術的プロセスであるＰＴＥＣ”で、個人の貢献とこれら事象の民主的、自動的、動的選挙により少なくとも一つの事象を遠くで創造し実行可能で、その獲得に興味を持つ無数の参加者により実施される電子システムで特徴付けられるＰＴＥＣ。
【請求項２】
固定電話又は携帯電話により個人の事象参加が可能になる電子システムで特徴付けられる“ＰＴＥＣ電話”。
【請求項３】
電子メッセージを送信可能な装置によりユーザーの事象参加が可能になる電子システムで特徴付けられる“ＰＴＥＣ  ＩＭ”。
【請求項４】
携帯インターネット装置によりユーザーの事象参加が可能になる電子システムで特徴付けられる“ＰＴＥＣモバイル”。
【請求項５】
インターネットへのアクセスによりユーザーの事象参加が可能になる電子システムで特徴付けられる“ＰＴＥＣウエブ”。
【請求項６】
計画の情報、規則及び特性の全てがシステム管理者により規定され書き込まれる電子システムで特徴付けられる“計画モジュール”。
【請求項７】
事象が投票と実行を書き込む電子システムで特徴付けられる“事象モジュールの登録”。
【請求項８】
参加者が他情報の中でどの提案が新しいか、その提案の内いずれが認証されたか、いくつの事象が利用できるかを追随する電子システムで特徴付けられる“事象モジュール登録の照合”。
【請求項９】
選択に影響する幾つかの事象を持つ各形式の事象リストが利用できる電子システムで特徴付けられる“事象モジュールの選択”。これによりユーザーは事象の中でいずれの決定形式事象に参加しようとするかが選択できる。又これによりユーザーはアクセス媒体（ＰＴＥＣ電話、ＰＴＥＣインスタントメッセージ、ＰＴＥＣモバイル、ＰＴＥＣウエブ）の一つを通して事象に投票できる。
【請求項１０】
参加者がシステムでの投票の進行を追随できる電子システムで特徴付けられる“事象モジュール登選択の照合”
【請求項１１】
計画規定に明記された規則に従い事象選択モジュールで選択した事象を実行可能にする電子システムで特徴付けられる“実行モジュール”。
【請求項１２】
現在起こっている事象の実行を追随可能にする電子システムで特徴付けられる“実行モジュールの照合”。
【発明の詳細な説明】
【技術分野】
【０００１】
本発明は一つ以上の事象の遠くでの創造と実行を、個別の貢献とこれら事象の民主的、自動的且つ動的選挙によりこれら事象獲得に興味を持つ無数の参加者が実行可能になる電子システムで特徴付けられる革新的プロセスに関する。情報技術と遠隔通信技術の解決により具体化された電子システムの技術的プロセスを通して、ＰＴＥＣは個人が所定事象の創造と実行に参加可能なように組織化した遠隔提供データを受信する情報と手段を提供する。ＰＴＥＣは根本的に個人が決定済みか又は未決定の将来の興味事象発生に、遠くでも貢献し投票できる可能性に適合する。
【背景技術】
【０００２】
現在公開されている方法で事象の創造と実行を可能にするプロセス又は適切な電子システム或いは類似システムは知らない。参加者が提案命題の定義で単なる意見提供者の役目を勤めるに過ぎない所定事象の規定に個人参加する目的の電子投票システムは存在する。それ故事象での一貫性又は事象が如何に起こるかについては個人の参加は全くない。即ち事象の一貫性に関する決定力は、その出来事に貢献又は投票した個人の干渉なしにその制作者に手にある。既存技法の例として以下のような投票での質問を挙げることができる。この試合の最優秀選手は誰ですか？どの参加者を除きたいですか？次回どちらのショーを見たいですか？どちらの演奏会をブラジルで見たいですか？従って事象は既に計画され保証され、個人は与えられた選択肢から一つを選ぶに過ぎないことが明らかである。出来事や事象に貢献するか又は直接影響する個人的意見は全くない。
（発明の開示）
【０００３】
この問題の革新的解決法として、個人が自動プロセス投票で選んだ将来事象の創造と実行に取り組め、その出来事に直接貢献し且つその参加に対し個人的に報いられる可能性を持つ、完全に動的且つ自動的システムであるＰＴＥＣを提供する。従って各事象は興味を持つ形成グループが、その事象が如何に設定されるかに関する意見に貢献するだけでなく、事象の資金調達と財政的に実行の可能性についても貢献できるグループを基に準備される。その結果参加者一人一人に個人的興味が生ずる。各グループの興味ある情報へ自由に接近でき、貢献の展開とその時までの事象設定方法で何が一番人気があるかを調べることが可能である。貢献への限界が事象設定に達するや否や、貢献参加者はいずれが勝利の選択肢であり、何が将来実行されるかを示す通知を受ける。更に事象発生に貢献した各人は、事象に出席するだけか又はその貢献の強さで得られる特定の個人的利益を取得し、発生事象に参加する権利が許される。
ＰＴＥＣと既存システム間の主な違いは、前者では貢献者が事象の共同制作者であり単なる協力者では無いという事実による。
ここで必要な特許の古典的応用例は、一チームの有名サッカー選手雇用に興味を持つ一群の個人の組織に見ることができる。従って各参加者に可能性のリストを与えられ、投票時に運動選手の権利獲得資金を寄付することで貢献し好みの選手に投票する。貢献者達が作った資金がこの運動選手雇用に必要な額に達すると、システムは最もほしいプロ選手は誰であるかを調べ、貢献の可能性を閉じ、参加者各人にその運動選手雇用実現の事象実行を示す通知を出す。全プロセスが送受信データが情報収集目的を持つ中央システムに加わり、自動的ルーチンの提案事象実行に利用できる情報技術と遠隔通信（Ｅ−メール、インターネット、電話、インスタントメッセージなど）システムにより遠くで実行される。
【発明を実施するための最良の形態】
【０００４】
このプロセスの技術的な疑問を検討する前に、ここに記載し且つＰＴＥＣを一緒に構成する全プロセス、システム、方法、プログラム及び他の資源が、特に計算プロセス、装置、プログラム言語、プロトコルなどのようないかなる技術でもなく、それにより制限もされないことを強調することは重要である。又インターネットなどや遠隔通信技術はここでＰＴＥＣのデータ情報取引に使う選択技術であるが、新技術の進歩普及による他技術プロセスを移植できることは明白に違いない。それにもかかわらず応用技術に関係なく、ＰＴＥＣ背後にある革新的アイデアを保つ必要がある。
専門性に関してはＰＴＥＣは、特にインターネットに関連するテレマティックスのリソース配分と、特にボイスプロトコルに関連する遠隔通信により実行する。
暗示の技術的リソースを用いる結果、全プロセスは収束した興味をもつ数人の貢献により遠くでの事象創造と実行が可能になる同一目標を目的とする少なくとも４つの異なるスロープで実行できる。４つの言及プロセスは（i）遠隔通信リソース（固定電話機又は携帯電話機）使用に基づくＰＴＥＣ電話、（ii）インスタントメッセージ使用によるＰＴＥＣインスタントメッセージ、（iii）ＰＴＥＣムーバブル（携帯インターネット、携帯電話、及び他技術によりアクセス）及び（iv）インターネット（電子商取引システムを通したユーザーの直接アクセスか又は認定販売人のアクセス）リソース使用によるＰＴＥＣウエブからなる。
図面１（１Ａと１Ｂ）は４つの最初に予測したプロセス実行でシステムが如何に働くかを示すＰＴＥＣのマクロ図面を表す。矢印はデータの流れと情報のトラフィックを示す。この図面を詳述すると各段階が番号とその各記述により表される。どれどれ。ＰＴＥＣテレフォン（i）：（１）ユーザー／貢献者は固定電話か携帯電話でシステムにアクセスする。（２）このモードではアクセス手段は電話であり、ＰＴＥＣへの参加命令はＵＲＡ、可聴応答の一致（Unity of Audible Answer）と呼ばれる技術を用いてボイスプロトコルにより与えられ、ユーザーはＰＴＥＣに参加するために番号を押す。（６）従ってユーザーは先ず参加を希望する事象番号を選択する（例えば２２―チームＸによるサッカー選手雇用）。次いで投票しようとする選手番号（例えば、０９―ジョンドー(John Dough)を押す。次いで自分の興味に従い投票する（例えば、運動選手を雇用する）。確認メッセージを受信する。（例えば、電話有り難う。この電話代はＸＸ、ＸＸ＋税金ドルです。あなたはチームＸによるジョンドー(John Dough)雇用への貢献を選択されました。私どものウエブサイトでこの事象の進展をチェックしてください。）。この時点でＵＲＡシステムは貢献者に請求書として送られる贈与価値相当の借り支出を報告し、全操作は請求書で又使用できる識別番号を発生し登録する。（１０）操作終了時にＵＲＡシステムは貢献者に通知（例えば“あなたの贈与はうまく行きました。あなたの識別番号はＸＸＸＸＸ”です）を送信する。（１４）システムは操作データをメインサーバーに送る。（ii）ＰＴＥＣ  ＳＭＳ：（３）この選択肢はインスタントメッセージの送受信技術でコンパイルする携帯テレフォニを使用する（携帯電話、パーム）。ＰＴＥＣで扱う命令はインスタントテキストショートメッセージシステム（ＳＭＳ）送信を通して与える必要がある。（７）従ってユーザーは自分が参加使用とする事象番号認識と一致するテキストをタイプする（例えば２２―チームＸによるサッカー選手雇用）。次いで自分の好みの選手に相当する番号に投票し（例えば０９―ジョンドー(John Dough)）、それ故ＳＭＳを通して投票する（例えばチームＸ、ジョンドー、雇用）。次いでシステムからの通知を受信する（例えば“メッセージはうまく送られました”）。この時点で手動入力（ＭＩ）システムは貢献者に請求書として送られる贈与価値相当の借り支出を報告する。全操作は識別番号を発生し登録する。（１１）操作終了時にシステムは確認メッセージを送信する（例えば“あなたの参加はうまく行きました。あなたの識別番号はＸＸＸＸＸです“）。（１４）システムは操作データをメインサーバーに送る。（iii）ＰＴＥＣモバイル：（４）このアクセスでの選択肢はインターネット又は遠隔通信によるアクセスと一体化した携帯テレフォニ技術を用いる。ＰＴＥＣで扱う命令は暗示技術を通してサーフィンすることで与えられる。（８）従ってユーザーはサーフィンポータルにアクセスし、自分が参加したい事象を選択する（例えば２２―チームＸによるサッカー選手雇用）。次いで自分が選んだ選手に相当する番号に投票する（例えば０９―ジョンドー(John Dough)）。選択肢にアクセスして投票する（例えば雇用）。次いでシステムの通知を受信す��（例えば“操作成功”）。次いで貢献者は即時払いのために自分のクレジットカードの請求書情報を書き入れる。システムは相応の贈与価値の支出を報告する。支払いを登録し識別番号を与える。（１２）操作終了時にシステムは貢献者に確認メッセージを送信する（例えば“あなたの参加はうまく行きました。あなたの識別番号はＸＸＸＸＸです“）。（１５）システムは操作データをメインサーバーに送る。（iv）ＰＴＥＣウエブ：（５）このモードでは参加者はウエブサーフィンによりＰＴＥＣに参加するため直接アクセス（電子商取引システムを通して）するか、又は認定販売人（例えばくじ引き基地、映画館など）による支払い法によりアクセス可能なインターネットに接続したコンピューターを通して貢献できる。（９）従ってユーザーはインターネットサイトにアクセスし、自分が参加したい事象を選択する（例えば２２―チームＸによるサッカー選手雇用）。次いで自分の投票に相当する選手番号にアクセスする（例えば０９―ジョンドー(John Dough)）。選択肢にアクセスして投票する（例えば雇用）。システムの通知を受信する（例えば“操作成功”）。この時点でユーザーはクレジットカード番号又は銀行口座番号データを書き入れ、支払い後システムは贈与資金に相当する貢献の支出を報告する。支払いが確認されると、認識番号発生を操作し登録する。（１３）操作終了時にウエブサイトで確認メッセージを送信する（例えば“あなたの参加はうまく行きました。あなたの識別番号はＸＸＸＸＸです“）。（１７）システムは操作データをメインサーバーに送る。（１８）ウェブサーバは全部の方法で送信された情報を収集し、各事象に従い割り当てる。（１９）事象の投票に関するデータ（投票選択肢／収納金額）は常時説明され、且つ（２０）事象発生で確立のパラメーターに関するデータと一緒に提供される。（２１）これらのデータはＰＴＥＣのシステムマネージャーが書き入れる。（２２）投票が事象発生の規定限界に達すると、システムは貢献／投票プロセスを閉じる。（２３）次いで事象データは事象を選択パラメーターにより設定するために”事象進行中“区分に移る。貢献者／ユーザーはこのデータをインターネットで利用できる。（２５）その間システムは全参加者に事象が近く実行されることを公表し、出席者の選択肢や事象に関して重要な他情報を通知するメッセージを送信する。（２４）事象が終わるや否や、全プロセスと一般的データが”完結事象“区分で公に供する。
ＰＴＥＣアルゴリズムの説明：前述のようにＰＴＥＣは参加者が貢献する事象の創造と実行プロセスからなる。ここでの事象は将来実行されねばならないいずれの事象、活動又は計画を意味する。ＰＴＥＣでは参加者は可能な事象は何であるかを指摘し、それらの中からどれが起こるかを選択する。これ以外に参加者は事象実行に効果的に貢献する。ここでシステム機能性を説明し、その手段と働きのマクロ記述から始め、後にそれらの一つ一つを絞り込み、詳述する。ＰＴＥＣは７つの異なる基本的機能モジュールに分けられる。１）計画の規定、２）事象登録、３）事象登録の照合、４）事象選択、５）事象選択の照合、６）実行、７）実行の照合。手段と働きの記述とこれらモジュールの組織は図面２に描かれている。次いでこれらモジュールの一つ一つを詳述する。
図面２：（１）計画の規定。このモジュールでは計画の情報、規則及び特性の全てがシステム管理者により規定される。これらの規定は後続モジュールの機能、参加者及び事象自身に直ちに影響する。（２）事象登録。このモジュールでは投票と実行のための事象が加わる。この登録は参加者の提案を取得し、それを認証し、最後に投票と後続で実行に供することからなる。（３）事象登録の照合。事象登録中参加者はこのモジュールを通して、どれが新しい提案であるか、どれが認証されたか、いくつの事象が利用できるかを照合する。これらの情報は前もって通知したインターフェースに従い利用できる。（４）事象選択。事象登録後システムは各形式に幾つかの事象選択肢があるリストを公開する。参加者は事象の内自分が実行されるのを見たい決定形の事象に投票する。投票は参加者が以前に明記した計画規則に従う事象選択で規定した相互作用媒体の一つと相互作用して実行する必要がある。（５）事象選択の照合。事象登録の照合のように参加者はシステムでの投票の進行を追随できる。（６）実行。実行モジュールは計画の規定で明記した規則に従い選択モジュールで選択した事象を実行するように設計する。実行は二つのサブモジュールに分けられる。（７）実行の照合。実行照合モジュールは貢献者が実行中の事象を追随するように設計する。
システムの一般手段と働きを簡単に分析後、図面２ＢにＰＴＥＣの全体操作の流れを示す。図面２Ｂで示す図面はシステム参加者数人との相互作用と同様に、以下のようなこれら参加者へのシステムの返答を示す。（１）計画の規定。このモジュールは（１．１）事象形式の規定、（１．２）計画規則の規定、（１．３）計画の一般特性、（１．４）貢献形式の規定、（１．５）照合表示器の規定及び（１．６）相互作用媒体の規定に再分割される。事象形式の規定（１．１）は計画で選択される事象が如何にあるべきかを記述する。即ち事象がＰＴＥＣで使用するのに熟慮する必要がある特性と規則を指定する。計画は一つより多い事象を含むことができる。特性と規則を各事象形式に指定する必要がある。全ての事象形式が実行に関係する。計画規則の規定（１．２）はシステムを支配する機能の基準である。これらは一つ以上のモジュールの事象形式に適用される。従ってこれらの規定を用いて参加者が如何にシステムと相互作用するかを示し、且つ貢献者の参加を制限できる。これらの規定では又特定事象の実行が不可能で参加者の予期せぬ状況等であることが判った場合に、何が起こるかを説明するのに重要である。計画の一般特性（１．３）は名前、ロゴ、スローガンなどような計画を同定するに必要な情報からなる。これらの情報はＰＴＥＣ使用ができる利用可能な媒体モジュールの全てで用いる必要がある。相互作用媒体の規定（１．６）は参加者がシステムと相互作用できるインターフェースである。これらは事象形式の規定を考慮したモジュールにより規定される必要がある。モジュールの全てはすくなとも一つの相互作用メディアを持つ必要がある。貢献形式の規定（１．４）はここに記載のリソースを収集する形式全てである。貢献形式は価値指標をもって各モジュールに帰する必要がある。資金収集形式は又一つずつを遂行するコストも含めて記載する必要がある。照合表示器の規定（１．５）は各事象形式とアクセス関係も含む各モジュールに対して規定されねばならない表示器である。照合の全てはこれら表示器に基づく。各モジュールの照合はこれら表示器を通して生ずる。事象登録（２）に関しては、このモジュールは三段階に再分割にされる。提案収集（２．１）では、参加者は事象形式の規定を考慮して所定媒体を通してどの事象を実行する必要があるかを提案する。提案認証（２．２）では、各提案は事象形式の規定と同様に計画規則に従い認証する必要がある。提案が認証されると直ちに貢献が集められ、この提案が実行に影響できる事象となる。収集は貢献形式の規定に組み入れる。従って有効事象入手の可能性（２．３）では、有効提案は実行しても良い事象が招かれる。この時点で参加者は規定媒体を通して選択できる事象リストが通知される。（３）事象登録の照合は二つのサブモジュールに再分割される。第一はデータプロセシング（３．１）で、事象登録で得たデータが照合表示器の規定のサブモジュールに記載した表示器に従い整理する作業プロセスからなる。このプロセシングは計画規則を考慮に入れる必要がある。利用可能段階（３．２）後に処理表示器の全ては、参加者が選択に利用できる事象コストを伴う事象登録進展を追随できるように提供される。（４）事象選択のプロセスは二段階に分割される。選択指標（４．１）では、参加者は事象の内をどの決定形式の事象に自身が貢献したいかを正確且つ簡潔に示す必要があり、確認（４．２）では自身の選択した事象選択後システムがその選択確認を問い、次いでその貢献を計上する必要がある。一旦確認されると、システムは参加者に投票受領書を配り、投票の有効性が計画規則に従い規定される。事象選択の照合（５）は又二つのサブモジュールに再分割される。データプロセシング（５．１）は事象選択で得たデータを作業することからなり、出席者指示器の規定サブモジュールに記載した表示器に従い整理する。その上このプロセシングは計画規則を考慮に入れる必要がある。利用の可能性（５．２）では処理データの全ては参加者が以前に規定した媒体を通して投票の進展を追随できるように公表される。同様に実行（６）は二段階が関与する。それらはＰＴＥＣ参加者全てに相互作用の規定媒体を通して事象実行が通知されねばならない通知（６．１）と一つ又は複数の事象を実際に実行することからなる実行（６．２）である。最後に実行の照合（７）では一定媒体を通して段階的に選択事象実行が示される。
【図面の簡単な説明】
【０００５】
【図１Ａ】最初に予測したプロセス実行でシステムが如何に働くかを示すＰＴＥＣのマクロ図面。
【図１Ｂ】最初に予測したプロセス実行でシステムが如何に働くかを示すＰＴＥＣのマクロ図面。
【図２Ａ】システムの手段と働きについて述べた図面。
【図２Ｂ】システム参加者数人との相互作用とともに参加者へのシステムの返答を示す図面。
【図１Ａ】
2008530662.tif 000003
【図１Ｂ】
2008530662.tif 000004
【図２Ａ】
2008530662.tif 000005
【図２Ｂ】
2008530662.tif 000006
【国際調査報告】
2008530662.tif 000007
2008530662.tif 000008
2008530662.tif 000009